(57)【要約】【目的】  二つのチューナの切替時或いはチューナの周波数切替時にスムーズに映像表示が行えるディジタル放送受信装置を提供する。【構成】  系列切替器２６は、第１チューナ系統（第１チューナ２２Ａ、第１デマルチプレクサ２３Ａ、第１デコーダ２４Ａ）からの信号又は第２チューナ系統（第２チューナ２２Ｂ、第２デマルチプレクサ２３Ｂ、第２デコーダ２４Ｂ）からの信号のいずれかを液晶モニタ２７に供給するために選択するが、非選択のチューナ系統は系列放送を受信してＩＤＲフレームのデコードを行っている。放送受信装置は第１チューナ系統で周波数ｆ１の放送を受信するとともに、系列放送である周波数ｆ２の放送を第２チューナ系統で監視することができる。別地域へ移動したことで周波数ｆ１の受信状況が悪化すると、監視用チューナ系統を視聴用チューナ系統に切り替え、周波数ｆ２の放送を受信視聴する。【選択図】        図１
2006166035.tif 000002
【特許請求の範囲】
【請求項１】
受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、
前記受信手段を複数備え、一つの受信手段が受信している放送と同系列の他の周波数の放送を他の受信手段が監視して当該他の周波数の放送の受信を試みるとともに、前記一つの受信手段にて生成された映像データに基づいてモニタ上に映像を表示している状態で、他の受信手段も映像データの生成を実行しており、
所定条件下で、前記一つの受信手段による受信映像の表示の状態から前記映像データを生成している他の受信手段による受信映像の表示の状態に切り替わるように構成されたことを特徴とするディジタル放送受信装置。
【請求項２】
請求項１に記載のディジタル放送受信装置において、前記他の受信手段は、前記独立フレームについてだけ映像データ生成を実行しており、当該他の受信手段による映像表示に切り換わる時点で、全てのフレームのデコードを行うように構成されたことを特徴とするディジタル放送受信装置。
【請求項３】
受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、
前記受信手段の他に補助受信手段を備え、前記の受信手段が受信している放送と同系列の他の周波数の放送を前記補助受信手段が監視して当該他の周波数の放送の受信を試みるとともに、前記受信手段にて生成された映像データに基づいてモニタ上に映像を表示している状態で、前記補助受信手段は独立フレームの生成及び最新の独立フレームを保持する処理を行っており、
所定条件下で、前記受信手段の受信周波数が前記他の周波数に切り替えられるとともに、前記補助受信手段は最新の独立フレームを前記受信手段に供給し、前記受信手段は受け取った前記独立フレームを利用して受信フレームのデコードを行うように構成されたことを特徴とするディジタル放送受信装置。
【請求項４】
受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、
前記受信手段の他に補助受信手段を備え、前記の受信手段が受信している放送と同系列の他の周波数の放送を前記補助受信手段が監視して当該他の周波数の放送の受信を試みるとともに、前記受信手段にて生成された映像データに基づいてモニタ上に映像を表示している状態で、前記補助受信手段は独立フレームの生成及び最新の独立フレームのデコードによる映像データを保持する処理を行っており、
所定条件下で、前記受信手段の受信周波数が前記他の周波数に切り替えられるとともに、前記補助受信手段は最新の独立フレームのデコードによる映像データを前記受信手段に供給し、前記受信手段は受け取った前記映像データを利用して受信フレームのデコードを行うように構成されたことを特徴とするディジタル放送受信装置。
【請求項５】
請求項１乃至請求項４のいずれかに記載のディジタル放送受信装置において、前記独立フレームは、符号化方式がＭＰＥＧ４  ＡＶＣ／Ｈ．２６４であるときのＩＤＲフレームであることを特徴とするディジタル放送受信装置。
【請求項６】
請求項１乃至請求項５のいずれかに記載のディジタル放送受信装置において、前記所定条件は、ユーザによって所定の操作が行われたときであることを特徴とするディジタル放送受信装置。
【請求項７】
請求項１乃至請求項５のいずれかに記載のディジタル放送受信装置において、前記所定条件は、モニタに表示される映像を生成している受信手段の受信品質が所定値を下回ったときであることを特徴とするディジタル放送受信装置。
【請求項８】
請求項１乃至請求項５のいずれかに記載のディジタル放送受信装置において、前記所定条件は、モニタに表示される映像を生成している受信手段の受信品質が所定値を下回り且つユーザによって所定の操作が行われたときであることを特徴とするディジタル放送受信装置。
【請求項９】
請求項１乃至請求項８のいずれかに記載のディジタル放送受信装置において、モニタに表示されない映像を生成している受信手段又は補助受信手段の受信品質が所定値を下回っているときには、前記所定条件は満たされないとするように構成されたことを特徴とするディジタル放送受信装置。
【発明の詳細な説明】
【技術分野】
【０００１】
この発明は、地上ディジタル放送を受信するディジタル放送受信装置に関する。
【背景技術】
【０００２】
従来より、地上ディジタル放送用チューナを二つ備え、受信地域が変更しても放送受信を継続できるようにしたディジタル放送受信装置が提案されている（特許文献１参照）。
【特許文献１】特開２００４−６４５９０号公報
【発明の開示】
【発明が解決しようとする課題】
【０００３】
ところで、地上ディジタル放送サービスでは、携帯電話などの移動体を対象とした１セグメントサービスが予定されている。この１セグメントサービスの映像符号化方式として、ＭＰＥＧ  ＡＶＣ／Ｈ．２６４が採用される予定である。そして、この符号化方式では、映像のデコードに必要なＩＤＲフレームが２秒から５秒間隔で挿入されるため、二つのチューナを備えていたとしても、その切替後の映像表示開始までに時間がかかると予想される。
【０００４】
この発明は、上記の事情に鑑み、二つのチューナの切替時或いはチューナの周波数切替時にスムーズに映像表示が行えるディジタル放送受信装置を提供することを目的とする。
【課題を解決するための手段】
【０００５】
この発明のディジタル放送受信装置は、上記課題を解決するために、受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、前記受信手段を複数備え、一つの受信手段が受信している放送と同系列の他の周波数の放送を他の受信手段が監視して当該他の周波数の放送の受信を試みるとともに、前記一つの受信手段にて生成された映像データに基づいてモニタ上に映像を表示している状態で、他の受信手段も映像データの生成を実行しており、所定条件下で、前記一つの受信手段による受信映像の表示の状態から前記映像データを生成している他の受信手段による受信映像の表示の状態に切り替わるように構成されたことを特徴とする。
【０００６】
上記の構成であれば、前記一つの受信手段による受信映像の表示の状態から前記映像データを生成している他の受信手段による受信映像の表示の状態に切り替わる際に、他の受信手段も映像データの生成を実行しているので、このような切り替わりが行われても映像は途切れなくスムーズに表示される。
【０００７】
上記構成のディジタル放送受信装置において、前記他の受信手段は、前記独立フレームについてだけ映像データ生成を実行しており、当該他の受信手段による映像表示に切り換わる時点で、全てのフレームのデコードを行うように構成されていてもよい。かかる構成であれば、他の受信手段の処理負担が軽減される。
【０００８】
また、この発明のディジタル放送受信装置は、受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、前記受信手段の他に補助受信手段を備え、前記の受信手段が受信している放送と同系列の他の周波数の放送を前記補助受信手段が監視して当該他の周波数の放送の受信を試みるとともに、前記受信手段にて生成された映像データに基づいてモニタ上に映像を表示している状態で、前記補助受信手段は独立フレームの生成及び最新の独立フレームを保持する処理を行っており、所定条件下で、前記受信手段の受信周波数が前記他の周波数に切り替えられるとともに、前記補助受信手段は最新の独立フレームを前記受信手段に供給し、前記受信手段は受け取った前記独立フレームを利用して受信フレームのデコードを行うように構成されたことを特徴とする。
【０００９】
上記の構成であれば、前記受信手段の受信周波数が前記他の周波数に切り替えられるとともに、前記補助受信手段は最新の独立フレームを前記受信手段に供給し、前記受信手段は受け取った前記独立フレームを利用して受信フレームのデコードを行うので、このような周波数切り替えが行われても映像は途切れなくスムーズに表示される。また、補助受信手段はデコーダを備える必要がないため、その構成を簡略化しえる。
【００１０】
また、この発明のディジタル放送受信装置は、受信した地上ディジタル放送波を復調してストリームを生成し、このストリームからそれ自体でデコードが可能な独立フレーム及び前記独立フレームを参酌してデコードが行える付随フレーム群を生成し、前記フレームをデコードして映像データを生成する受信手段を備えたディジタル放送受信装置において、前記受信手段の他に補助受信手段を備え、前記の受信手段が受信している放送と同系列の他の周波数の放送を前記補助受信手段が監視して当該他の周波数の放送の受信を試みるとともに、前記受信手段にて生成された映像データに基づいてモニタ上に映像を表示している状態で、前記補助受信手段は独立フレームの生成及び最新の独立フレームのデコードによる映像データを保持する処理を行っており、所定条件下で、前記受信手段の受信周波数が前記他の周波数に切り替えられるとともに、前記補助受信手段は最新の独立フレームのデコードによる映像データを前記受信手段に供給し、前記受信手段は受け取った前記映像データを利用して受信フレームのデコードを行うように構成されたことを特徴とする。
【００１１】
上記の構成であれば、前記受信手段の受信周波数が前記他の周波数に切り替えられるとともに、前記補助受信手段は最新の独立フレームのデコードによる映像データを前記受信手段に供給し、前記受信手段は受け取った前記映像データを利用して受信フレームのデコードを行うので、このような周波数切り替えが行われても映像は途切れなくスムーズに表示される。また、補助受信手段は独立フレームのデコードが行えればよいので、その構成を簡略化しえる。
【００１２】
これら構成のディジタル放送受信装置において、前記独立フレームは、符号化方式がＭＰＥＧ４  ＡＶＣ／Ｈ．２６４であるときのＩＤＲフレームであるのがよい。
【００１３】
また、これら構成のディジタル放送受信装置において、前記所定条件は、ユーザによって所定の操作が行われたときとしてもよい。或いは、前記所定条件は、モニタに表示される映像を生成している受信手段の受信品質が所定値を下回ったときとしてもよい。或いは、前記所定条件は、モニタに表示される映像を生成している受信手段の受信品質が所定値を下回り且つユーザによって所定の操作が行われたときとしてもよい。
【００１４】
また、これら構成のディジタル放送受信装置において、モニタに表示されない映像を生成している受信手段又は補助受信手段の受信品質が所定値を下回っているときには、前記所定条件は満たされないとするように構成されていてもよい。
【発明の効果】
【００１５】
この発明によれば、二つのチューナの切替時或いはチューナの周波数切替時にスムーズに映像表示が行えるという効果を奏する。
【発明を実施するための最良の形態】
【００１６】
以下、この発明の実施形態のディジタル放送受信装置を図１乃至図６に基づいて説明する。なお、ここでは、ＴＶ付き携帯電話として構成された地上ディジタル放送受信装置を例示している。
【００１７】
図１はＴＶ付き携帯電話１０を示したブロック図である。このＴＶ付き携帯電話１０は、電話機能部３０とディジタル放送受信部２０とを備えて成る。電話機能部３０は、無線回路３１と、信号処理回路３２と、Ａ／Ｄ・Ｄ／Ａ変換部３３と、マイク３４と、スピーカ３５とを備える。無線回路３１は、音声やデータの送受信処理、基地局との間での所定のプロトコル処理（送信時処理、受信時処理）を行う。通常の電話処理において受信した信号は無線回路３１、信号処理回路３２、Ｄ／Ａ変換部を介してスピーカ３５に与えられる一方、ユーザの発した音声はマイク３４にて音声信号となり、Ａ／Ｄ変換部、信号処理回路３２、無線回路３１を経て送出される。
【００１８】
ＣＰＵ１は電話機能部３０及びディジタル放送受信部２０の双方の制御を行う。ＣＰＵ１は、操作キー部２のテレビ機能起動キーがＯＮ操作されたときには、ディジタル放送受信部２０にＯＮ指令を与える処理や、操作キー部２のテンキーが操作されたときに、その番号をチャンネル番号とする選局指令をディジタル放送受信部２０に与える等を処理を行う。また、電源回路５は、バッテリ４から得た電力を電話機能部３０及びディジタル放送受信部２０に供給する。
【００１９】
次に、ディジタル放送受信部２０について説明していく。第１地上アンテナ２１Ａ及び第２地上アンテナ２１Ｂは受信した信号を第１地上波ディジタルチューナ２２Ａ及び第２地上波ディジタルチューナ２２Ｂに与える。各地上波ディジタルチューナ２２は、映像音声データを含む高周波ディジタル変調信号のうちから特定周波数の信号を取り出す。また、各地上波ディジタルチューナ２２は、復調回路、逆インタリーブ回路、誤り訂正回路などを備え、選択したディジタル変調信号を復調してトランスポート・ストリームを出力し、このトランスポート・ストリームを第１デマルチプレクサ（ＤＥＭＵＸ）２３Ａ及び第２デマルチプレクサ（ＤＥＭＵＸ）２３Ｂにそれぞれ与える。
【００２０】
各デマルチプレクサ（ＤＥＭＵＸ）２３は、前記トランスポート・ストリームを、ＩＥＥＥにおけるＨ．２６４などのビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）や放送情報（地域識別子，サービス種別，放送局識別，サービス番号、リモートコントロールキーＩＤ）などに分離する。各デマルチプレクサ２３は、ビデオストリームとオーディオストリームを第１Ｈ．２６４デコーダ２４Ａ及び第２Ｈ．２６４デコーダ２４Ｂにそれぞれ供給し、ＰＳＩ／ＳＩや放送情報等（これら情報を番組情報という）をテーブル管理部２５に供給する。また、チャンネルスキャン（サーチ）を実行して周波数や有局／無局の情報等からなるチャンネルリストを作成したときには、このチャンネルリストをテーブル管理部２５に格納するようにしている。
【００２１】
各Ｈ．２６４デコーダ２４は、ビデオストリームに対してデコードを行うビデオデコーダを備える。ビデオデコーダは、入力された符号化信号を復号して量子化係数や動きベクトルを求め、逆ＤＣＴ変換や動きベクトルに基づく動き補償制御などを行って映像データを生成する。
【００２２】
系列切替器２６は、第１チューナ系統（第１地上アンテナ２１Ａ、第１デマルチプレクサ２３Ａ、第１Ｈ．２６４デコーダ２４Ａ）からの信号又は第２チューナ系統（第２地上アンテナ２１Ｂ、第２デマルチプレクサ２３Ｂ、第２Ｈ．２６４デコーダ２４Ｂ）からの信号のいずれかを液晶モニタ２７に供給するために選択する。この選択はＣＰＵ１からの指令により実行する。なお、以下において、選択されたチューナ系統を視聴用チューナ系統といい、他のチューナ系統を監視用チューナ系統という場合がある。系列切替器２６によって選択された視聴用チューナ系統の映像データは液晶モニタ２７に供給され、例えばＲＧＢデータに変換されて表示される。また、系列切替器２６によって選択された視聴用チューナ系統の音声ストリームは、ＡＡＣデコーダ２８によって音声信号化され、スピーカ２９に供給される。
【００２３】
各チューナ系統は受信品質の判定に役立つ情報をＣＰＵ１に供給している。前記情報としては、受信電波強度、Ｃ／Ｎ比、誤り訂正情報などがある。ＣＰＵ１は前記情報をチューナ系統切替（系列切替器２６の制御）に利用する。
【００２４】
地上波ディジタル放送では、放送データは先述したように、トランスポート・ストリーム・パケット（Ｔｒａｎｓｐｏｒｔ  Ｓｔｒｅａｍ  Ｐａｃｋｅｔ）と呼ばれる固定長のデータからなるトランスポート・ストリーム（Ｔｒａｎｓｐｏｒｔ  Ｓｔｒｅａｍ）で構成されている。各ＴＳパケットには映像データ、音声データなどの各データによってＰＩＤが割り振られており、ＰＩＤによってデマルチプレクサ２３は各データを分離する。地上波ディジタル放送の携帯電話用放送において、映像符号化方式はＩＥＥＥのＨ．２６４が採用される。Ｈ．２６４に含まれるフレームには、ＩＤＲフレーム（独立フレーム）とｎｏｎ＿ＩＤＲフレーム（付随フレーム）があり、ＩＤＲフレームからデコードすると正常にデコードができることが保証されており、ＩＤＲフレームは確実にデコードすることが必要になる。
【００２５】
図２に地上ディジタル放送形態のイメージ図を示す。まず、地域Ａから地域Ｃへ移動することを考える。地域Ａに居る場合に視聴用チューナ系統では周波数ｆ１の放送を受信しているものとする。このとき、ＮＩＴ（network information table ）には３つの周波数が記述されているため、視聴用チューナ系統で周波数ｆ１の放送を受信しながら周波数ｆ２の放送を監視用チューナ系統で監視することができる。地域Ｃへ移動したことで周波数ｆ１の受信状況が悪化すると、監視用チューナ系統を視聴用チューナ系統とするように切り替えることで、周波数ｆ２の放送を受信視聴することができる。
【００２６】
次に、地域Ｂから地域Ｃへ移動することを考える。地域ＢのＮＩＴには一つの周波数しか記述されていないが、ＢＩＴ（broadcast information table ）には系列放送局として放送局ａが記述されているので、視聴用チューナ系統で周波数ｆ１の放送を受信しながら放送局ａを監視用チューナ系統でサーチ・監視することができる。地域Ｃへ移動したことで周波数ｆ１の受信状況が悪化すると、監視用チューナ系統を視聴用チューナ系統に切り替えることで、周波数ｆ２の放送を受信視聴することができる。
【００２７】
次に、図３のフローチャートに基づいて、視聴時の処理内容を説明していく。視聴を開始する場合、ＣＰＵ１はテーブル管理部２５にチャンネルリストが保存されているかどうかを確認する（ステップＳ１）。チャンネルリストがない場合には（ステップＳ１でＮＯ）、視聴用チューナ系統においてチャンネルスキャンを実行し（ステップＳ２）、チャンネルリストを作成する（ステップＳ３）。チャンネルリストがある場合には（ステップＳ１でＹＥＳ）、視聴用チューナ系統のチューナに選局するチャンネルの周波数をセットし、放送波受信を開始する（ステップＳ４）。受信できない場合や受信品質が所定値以下の場合には（ステップＳ５でＮＯ）、モニタ２７にエラーメッセージを表示する（ステップＳ６）。このエラーメッセージは、図示しないＯＳＤ（オンスクリーンディスプレイ）回路にて生成する。一方、良好に受信が行える場合には（ステップＳ５でＹＥＳ）、テーブル管理部２５においてＰＳＩ／ＳＩや放送情報等から成るテーブルが作成されているかどうかを判断する（ステップＳ７，ステップＳ８）。テーブルが適正に作成されていない場合には（ステップＳ８でＮＯ）、エラーメッセージを表示する（ステップＳ６）。
【００２８】
一方、テーブルが適正に作成されている場合には、図４のフローチャートに示すように、視聴用チューナ系統において、全フレーム（ＩＤＲフレーム及びｎｏｎ＿ＩＤＲフレーム群）をデコードする設定を行う（ステップＳ１１）。そして、視聴用チューナ系統において、映像データ及び音声データを取得するための処理を実行する（ステップＳ１２）。この処理においてＩＤＲフレームがデコード済であれば（ステップＳ１３でＹＥＳ）、直ちに、映像及び音声の提示を開始する（ステップＳ１５）。ＩＤＲフレームがデコード済でなければ、受信したフレームがＩＤＲフレームかどうかを判断し（ステップＳ１４）、ＩＤＲフレームであればそのデコードを行ってステップＳ１５に進む。受信したフレームがＩＤＲフレームでなければ、ステップＳ１２に戻る。
【００２９】
次に、図５のフローチャートに示すように、ＣＰＵ１はテーブル管理部２５内の情報に基づいて、視聴用チューナ系統で受信している放送と同系列の放送が存在するかどうかを判断する（ステップＳ２１）。存在するときには、その放送の周波数を監視用チューナ系統のチューナにセットし、放送波受信を開始する（ステップＳ２２）。受信できない場合や受信品質が所定値以下の場合には（ステップＳ２３でＮＯ）、モニタ２７にエラーメッセージを表示する（ステップＳ２４）。一方、良好に受信が行える場合には（ステップＳ２３でＹＥＳ）、テーブル管理部２５において、監視用チューナ系統のＰＳＩ／ＳＩや放送情報等から成るテーブルが作成されているかどうかを判断する（ステップＳ２５，ステップＳ２６）。テーブルが適正に作成されていない場合には（ステップＳ２６でＮＯ）、エラーメッセージを表示する（ステップＳ２４）。一方、テーブルが適正に作成されている場合には、監視用チューナ系統において、ＩＤＲフレームをデコードする設定を行う（ステップＳ２７）。そして、監視用チューナ系統において、映像データを取得する（ステップＳ２８）。
【００３０】
視聴切替のために、図６のフローチャートに示すように、ＣＰＵ１は視聴用チューナ系統において、受信状況を監視し、受信状況が悪化した場合には（ステップＳ３１でＹＥＳ）、監視用チューナ系統において監視中であるかどうかを判断する（ステップＳ３２）。監視中である場合には（ステップＳ３２でＹＥＳ）、監視用チューナ系統の受信状況をチェックする（ステップＳ３３）。監視用チューナ系統の受信状況が良好であれば（ステップＳ３４でＹＥＳ）、系列切替器２６に通知して、監視用チューナ系統を視聴用チューナ系統とし、視聴用チューナ系統を監視用チューナ系統とする切替処理を行う（ステップＳ３５）。
【００３１】
このような切替処理を行うときには、監視用チューナ系統では、視聴用チューナ系統で受信している放送と同系列の放送のＩＤＲフレームをデコードしている状態であることから、この監視用チューナ系統が視聴用チューナ系統に切り替わったときに、映像を途切れなくスムーズに表示できるようになる。
【００３２】
なお、上記の実施例では、監視用チューナ系統及び視聴用チューナ系統を切り替えることとしたが、これに限るものではない。すなわち、主チューナ系統と補助チューナ系統とを備える構成とし、主チューナ系統で放送受信及び映像表示を行っているときに、前記補助チューナ系統において系列放送の監視及び系列放送の受信で取得したＩＤＲフレームをデコードしておく。主チューナ系統での放送受信が悪化したときに、周波数が異なる系列放送の受信を当該主チューナ系統において行うこととし、この周波数切替の際に前記補助チューナ系統が取得しておいた最新のＩＤＲフレームをデコードした映像データを主チューナ系統が取得する。そして、主チューナ系統は、周波数切替後の放送波からｎｏｎ＿ＩＤＲフレームしか受信できなかったとしても、前記映像データを利用してｎｏｎ＿ＩＤＲフレームをデコードすることができ、映像を途切れなくスムーズに表示できることになる。このような構成を採用した場合には、前記補助チューナ系統はＩＤＲフレームをデコードできればよく、ｎｏｎ＿ＩＤＲフレームをデコードするための構成を持たなくて済むことになる。また、音声のデコードも行わなくて済むことになる。更に、前記系列切替器２６も不要になる。
【００３３】
また、主チューナ系統と補助チューナ系統とを備える構成とすることは上記構成と同じであるが、補助チューナ系統はデコーダを持たない構成としてもよい。すなわち、主チューナ系統で放送受信を行っているときに、前記補助チューナ系統において系列放送の監視及び系列放送のＩＤＲフレームを取得し、最新のＩＤＲフレームをメモリに保持しておく。主チューナ系統での放送受信が悪化したときに、周波数が異なる系列放送の受信を当該主チューナ系統において行うこととし、この周波数切替の際に前記補助チューナ系統が取得しておいた最新のＩＤＲフレームを主チューナ系統が取得し、主チューナ系統が前記ＩＤＲフレームをデコードして映像データを取得する。そして、主チューナ系統は、周波数切替後の放送波からｎｏｎ＿ＩＤＲフレームしか受信できなかったとしても、前記ＩＤＲフレームを利用してｎｏｎ＿ＩＤＲフレームをデコードすることができ、映像を途切れなくスムーズに表示できることになる。このような構成を採用した場合には、前記補助チューナ系統はＩＤＲフレームをデコードしなくて済むから、デコードを省いた構成とすることができる。更に、前記系列切替器２６も不要になる。
【００３４】
また、上記実施例では、視聴用チューナ系統の受信品質が悪化したときに自動的に監視用チューナ系統による放送受信（或いは、主チューナ系統における周波数切替）が行われるが、これに限るものではなく、このような受信品質悪化の状態で且つユーザによる所定の操作（例えば、切替キーの押下等）が行われることを切替の条件としてもよい。また、単にユーザの操作によって切替が行われるように構成してもよいものである。
【００３５】
また、上記の例では、ＴＶ機能付き携帯電話として説明したが、携帯型或いは移動型の地上ディジタル放送受信装置として構成してもよい。
【図面の簡単な説明】
【００３６】
【図１】この発明の実施形態のＴＶ機能付き携帯電話（ディジタル放送受信装置）を示したブロック図である。
【図２】地上ディジタル放送形態のイメージ図である。
【図３】この発明の実施形態の処理内容を示したフローチャートである。
【図４】この発明の実施形態の処理内容を示したフローチャートである。
【図５】この発明の実施形態の処理内容を示したフローチャートである。
【図６】この発明の実施形態の処理内容を示したフローチャートである。
【符号の説明】
【００３７】
１      ＣＰＵ
１０    ＴＶ機能付き携帯電話
２０    ディジタル放送受信部
２２Ａ  第１チューナ
２２Ｂ  第２チューナ
【図１】
2006166035.tif 000003
【図２】
2006166035.tif 000004
【図３】
2006166035.tif 000005
【図４】
2006166035.tif 000006
【図５】
2006166035.tif 000007
【図６】
2006166035.tif 000008